(57)【特許請求の範囲】
【請求項１】
複数の機器とデジタルバスによって接続される映像表示装置において、
前記機器と接続される第１の端子及び第２の端子と、
前記第１の端子に接続され、映像データの入出力の処理を行う第１のインターフェース回路と、
前記第２の端子に接続され、映像データの入出力の処理を行う第２のインターフェース回路と、
前記第１のインターフェース回路と前記第２のインターフェース回路間の接続、非接続のモードを切り換えるインターフェース接続切換回路と、
前記インターフェース接続切換回路を非接続モードに切り換えた場合、前記第１又は第２のインターフェース接続回路を選択するデータ出力切替回路と、
前記データ出力切替回路により選択された前記第１又は第２のインターフェース接続回路から入力される前記映像データを表示する映像処理回路と、
を具備することを特徴とする映像表示装置。
【請求項２】
前記インターフェース接続切換回路を接続モードに切り換えた場合、前記データ出力切替回路は前記第１のインターフェース接続回路を選択し、前記第１のインターフェース接続回路から入力される前記映像データを表示することを特徴とする請求項１に記載の映像表示装置。
【請求項３】
前記インターフェース接続切換回路の接続、非接続のモードの切換動作を制御するシステムコントロール回路と、前記第１の端子に接続される機器で構成される第１のネットワークと、前記第２の端子に接続される機器で構成される第２のネットワークの接続状態を把握し、その接続状態を映像表示させるネットワークファームウェアシステム回路と、をさらに具備することを特徴とする請求項１又は２に記載の映像表示装置。
【請求項４】
前記デジタルバスは、ＩＥＥＥ１３９４であることを特徴とする請求項１乃至３のいずれか１つの項に記載の映像表示装置。
【請求項５】
ディスプレイ又はディスプレイに接続されたチューナー装置に搭載されていることを特徴とする請求項１乃至４のいずれか１つの項に記載の映像表示装置。
【請求項６】
複数の機器とデジタルバスによって接続される第１の端子及び第２の端子と、前記第１の端子に接続され、映像データの入出力の処理を行う第１のインターフェース回路と、前記第２の端子に接続され、映像データの入出力の処理を行う第２のインターフェース回路とを有する映像表示装置を制御するプログラムを記録した記録媒体であって、
前記第１のインターフェース回路と前記第２のインターフェース回路間の接続、非接続のモードを切り換える処理と、
前記インターフェース接続切換回路を非接続モードに切り換えた場合、前記第１又は第２のインターフェース接続回路を選択し、選択された前記第１又は第２のインターフェース接続回路から入力される前記映像データを映像処理回路に表示する処理とをコンピュータに実行させるプログラムを記録した記録媒体。
【請求項７】
前記インターフェース接続切換回路を接続モードに切り換えた場合、前記データ出力切替回路は前記第１のインターフェース接続回路を選択し、前記第１のインターフェース接続回路から入力される前記映像データを表示する処理をコンピュータに実行させるプログラムを記録した請求項６に記載の記録媒体。
【請求項８】
前記第１及び第２の端子に接続されている機器で構成されるネットワークの接続状態を把握し、その接続状態を映像表示させる処理をコンピュータに実行させるプログラムを記録した請求項６又は７に記載の記録媒体。
【請求項９】
前記デジタルバスは、ＩＥＥＥ１３９４であることを特徴とする請求項６乃至８のいずれか１つの項に記載の記録媒体。
【発明の詳細な説明】
【０００１】
【発明の属する技術分野】
本発明は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４等のデジタルバス（デジタルケーブル）によって機器と接続された映像表示装置及び記録媒体に関し、特に、複数の端子に接続された機器によって複数の独立したネットワークを構築することができるとともに、一つの共通のネットワークをも構築することができる映像表示装置及び記録媒体に関する。
【０００２】
【従来の技術】
一般に、ＩＥＥＥ１３９４規格は高速なデジタル・シリアル伝送が可能な規格として知られている。ＩＥＥＥ１３９４により接続された機器間では、ビデオ信号やオーディオ信号の伝送、機器の遠隔操作が可能であり、ＩＥＥＥ１３９４に準拠した機器間ではネットワークを構築することができる。
【０００３】
例えば、特開平９−１５４０７７号公報には、２つのブランチを備え、各ブランチにＩＥＥＥ１３９４等のデジタルバスにより複数のＡＶ機器（例えばデジタルビデオレコーダ、デジタルビデオディスク等）が接続されたディスプレイ装置が開示されている。この従来のディスプレイ装置は、映像データ処理系と音声信号処理系とを備えたＴＶ回路と、そのＴＶ回路を制御する制御回路と、ＴＶ回路及び制御回路に接続されたＩＥＥＥ１３９４インターフェースと、そのＩＥＥＥ１３９４インターフェースに接続され、ＡＶ機器と接続するための２つの端子を備えたコネクタとを有する。
【０００４】
従来のディスプレイ装置によれば、接続されている各ＡＶ機器からの映像データ及び又は音声信号の流れの接続状態を画面上に表示でき、かつ適宜画面上から設定変更することができる。
【０００５】
【発明が解決しようとする課題】
上述した従来のディスプレイ装置では、ＩＥＥＥ１３９４規格に準拠したデジタルインターフェースＬＳＩを１つ使用している。そのため、端子間では、機器が接続された時点で、１つのネットワークとして構成され、切り離して複数のネットワークを構築することができないという課題がある。
【０００６】
また、ＩＥＥＥ１３９４では電源ＯＮ時にケーブルの抜き差し（ホットプラグ）が可能である。しかし、ネットワークで接続された機器間において、他の機器が動作しているときに、ホットプラグの動作を行うと、接続状態を再確認するため、機能が一時的に停止するバスリセットが発生する。そのため、他の機器間でデータのやりとりを行っている場合、バスリセットにより一時動作が停止し、場合によってはそのまま動作が不安定に陥る可能性があるという課題がある。
【０００７】
本発明は、上記課題を解決するために、複数の端子に接続された機器によって複数の独立したネットワークを構築することにより、各々のネットワークが、他方のネットワークにバスリセット等による影響を及ぼすことを防止できるとともに、一つの共通のネットワークをも構築することができる映像表示装置及び記録媒体を提供することを目的とする。
【０００８】
【課題を解決するための手段】
本発明の映像表示装置は、複数の機器とデジタルバスによって接続される映像表示装置において、前記機器と接続される第１の端子及び第２の端子と、
前記第１の端子に接続され、映像データの入出力の処理を行う第１のインターフェース回路と、前記第２の端子に接続され、映像データの入出力の処理を行う第２のインターフェース回路と、前記第１のインターフェース回路と前記第２のインターフェース回路間の接続、非接続のモードを切り換えるインターフェース接続切換回路と、前記インターフェース接続切換回路を非接続モードに切り換えた場合、前記第１又は第２のインターフェース接続回路を選択するデータ出力切替回路と、前記データ出力切替回路により選択された前記第１又は第２のインターフェース接続回路から入力される前記映像データを表示する映像処理回路と、を具備することを特徴とするものである。
【０００９】
前記インターフェース接続切換回路を接続モードに切り換えた場合、前記データ出力切替回路は前記第１のインターフェース接続回路を選択し、前記第１のインターフェース接続回路から入力される前記映像データを表示してもよい。
【００１０】
前記インターフェース接続切換回路の接続、非接続のモードの切換動作を制御するシステムコントロール回路と、前記第１の端子に接続される機器で構成される第１のネットワークと、前記第２の端子に接続される機器で構成される第２のネットワークの接続状態を把握し、その接続状態を映像表示させるネットワークファームウェアシステム回路と、をさらに具備してもよい。
【００１１】
前記デジタルバスは、例えばＩＥＥＥ１３９４である。
【００１２】
本発明の映像表示装置は、ディスプレイに搭載されていてもよく、あるいはディスプレイに接続されたチューナー装置に搭載されていてもよい。
【００１３】
本発明の記録媒体は、複数の機器とデジタルバスによって接続される第１の端子及び第２の端子と、前記第１の端子に接続され、映像データの入出力の処理を行う第１のインターフェース回路と、前記第２の端子に接続され、映像データの入出力の処理を行う第２のインターフェース回路とを有する映像表示装置を制御するプログラムを記録した記録媒体であって、前記第１のインターフェース回路と前記第２のインターフェース回路間の接続、非接続のモードを切り換える処理と、前記インターフェース接続切換回路を非接続モードに切り換えた場合、前記第１又は第２のインターフェース接続回路を選択し、選択された前記第１又は第２のインターフェース接続回路から入力される前記映像データを映像処理回路に表示する処理とをコンピュータに実行させるプログラムを記録したことを特徴とするものである。
【００１４】
前記インターフェース接続切換回路を接続モードに切り換えた場合、前記データ出力切替回路は前記第１のインターフェース接続回路を選択し、前記第１のインターフェース接続回路から入力される前記映像データを表示する処理をコンピュータに実行させるプログラムを記録したものでもよい。
【００１５】
前記第１及び第２の端子に接続されている機器で構成されるネットワークの接続状態を把握し、その接続状態を映像表示させる処理をコンピュータに実行させるプログラムを記録したものでもよい。
【００１６】
前記デジタルバスは、例えばＩＥＥＥ１３９４である。
【００１７】
本発明によれば、インターフェース接続切換回路において複数のインターフェース回路間を非接続モードに切り換えた場合、複数の端子側にそれぞれ接続された機器の間で、複数の互いに独立したネットワークを構築することができる。
【００１８】
また、インターフェース接続切換回路において複数のインターフェース回路間を接続モードに切り換えた場合、一つの共通のネットワークを構築することもできる。
【００１９】
【発明の実施の形態】
以下、本発明の実施の形態を図面を参照しながら説明する。図１は、本発明の実施の形態に係る映像表示装置の構成を示すブロック図、図２は、本発明の実施の形態に係る映像表示装置がディスプレイに搭載されている場合を説明するための説明図である。
【００２０】
図２に示すように、本発明の実施の形態に係る映像表示装置は第１の端子Ｔ１及び第２の端子Ｔ２を装備したディスプレイ８に搭載されており、第１の端子Ｔ１及び第２の端子Ｔ２側にはＩＥＥＥ１３９４等のデジタルバス１７の規格に準拠した複数の機器９〜１５がそれぞれ接続される。これによって、ディスプレイ８を中核としたシステムが構成される。図２の例では、第１の端子Ｔ１側には４つの機器９〜１２が接続され、第１のネットワークＮ１が構成され、第２の端子Ｔ２側には３つの機器１３〜１５が接続され、第２のネットワークＮ２が構成されている。なお、第１のネットワークＮ１及び第２のネットワークＮ２における機器の数及び接続状態は例示であり、これに限定されるものではない。
【００２１】
図１に示すように、本発明の実施の形態に係る映像表示装置は、上記の第１の端子Ｔ１及び第２の端子Ｔ２と、第１の端子Ｔ１に接続され、映像データの入出力の処理を行う第１のインターフェース回路１ａと、第２の端子Ｔ２に接続され、映像データの入出力の処理を行う第２のインターフェース回路１ｂと、第１のインターフェース回路１ａ及び第２のインターフェース回路１ｂ間の接続、非接続のモードを切り換えるインターフェース接続切換回路２とを有する。
【００２２】
第１のインターフェース回路１ａ及び第２のインターフェース回路１ｂは、ＩＥＥＥ１３９４等の規格に準拠したデジタルインターフェース機能を持つ、ＩＥＥＥ１３９４信号等の入出力の処理を行う回路である。
【００２３】
また、本発明の実施の形態に係る映像表示装置は、インターフェース接続切換回路２の接続、非接続のモードの切換動作を制御するシステムコントロール回路５と、システムコントロール回路５によってインターフェース接続切換回路２を接続モードに切り換えた場合、第１のインターフェース回路１ａからの映像データを出力し、インターフェース接続切換回路２を非接続モードに切り換えた場合、各インターフェース回路１ａ、１ｂからの映像データに応じて出力するデータ出力切換回路３と、データ出力切換回路３から出力された映像データをデコードするデコード回路４と、デコード回路４によってデコードされた信号を映像表示する映像処理回路７と、映像表示端子Ｔ３とを有する。
【００２４】
システムコントロール回路５は、ユーザのリモコン等からの任意の制御信号を入力し、その制御信号に基づいて切換動作を制御する切換制御信号をインターフェース接続切換回路２に送信する。また、システムコントロール回路５は、切換情報を内容する制御信号をデータ出力切換回路３、映像処理回路７及び後述するネットワークファームウェアシステム回路６に入力する。
【００２５】
さらに、本発明の実施の形態に係る映像表示装置は、第１の端子Ｔ１及び第２の端子Ｔ２側に接続されている第１のネットワークＮ１及び第２のネットワークＮ２の接続状態を把握し、その接続状態を映像表示させるネットワークファームウェアシステム回路６を有する。
【００２６】
ネットワークファームウェアシステム回路６は、第１のインターフェース回路１ａ及び第２のインターフェース回路１ｂに映像データが入力されているか否かを内容とする判別信号、さらに接続されている機器のネットワーク情報を内容とする信号を第１のインターフェース回路１ａ及び第２のインターフェース回路１ｂから入力し、インターフェース接続切換回路２の接続、非接続のモードの切換情報を内容とする制御信号をシステムコントロール回路５から入力する。ネットワークファームウェアシステム回路６は、これらの信号の情報に基づいてネットワークの接続状態を把握し、ネットワークの接続状態を内容とする信号を映像処理回路７に入力する。
【００２７】
なお、ネットワークファームウェアシステム回路６は、ホストとしてネットワーク中のビデオ等の機器をディスプレイ８（又はそのリモコン等）からも操作できるようにするネットワーク制御を行う。ネットワーク制御としては、例えばＩＥＥＥ１３９４でのＨＡＶｉ等のファームウェア等がある。また、ネットワークファームウェアシステム回路６は、上記の判別信号に基づいてシステムコントロール回路５に制御信号を出力し、システムコントロール回路５による切換制御を行わせるように構成してもよい。
【００２８】
以下、本発明の実施の形態に係る映像表示装置の動作を説明する。図３（Ａ）及び（Ｂ）は、本発明の実施の形態に係る映像表示装置の動作を説明するための説明図である。
【００２９】
まず、ユーザのリモコン等からの任意の制御信号がシステムコントロール回路５に入力されると、システムコントロール回路５は、その制御信号に基づいて切換動作を制御する切換制御信号をインターフェース接続切換回路２に送信する。
【００３０】
インターフェース接続切換回路２は、切換制御信号に基づいて第１のインターフェース回路１ａ及び第２のインターフェース回路１ｂ間の接続、非接続のモードを切り換える。また、システムコントロール回路５は、切換情報を内容する制御信号をデータ出力切換回路３、映像処理回路７及びネットワークファームウェアシステム回路６にそれぞれ入力する。
【００３１】
一方、第１の端子Ｔ１及び第２の端子Ｔ２を通して、外部の機器からＩＥＥＥ１３９４信号として、映像データがそれぞれ入力されてきた場合、映像データは、第１のインターフェース回路１ａ及び第２のインターフェース回路１ｂに入力される。
【００３２】
インターフェース接続切換回路２が「非接続」モードに設定されている場合、第１のインターフェース回路１ａと第２のインターフェース回路１ｂは、物理層レベルで接続されていない。この場合、第１の端子Ｔ１側の第１のネットワークＮ１と第２の端子Ｔ２側の第２のネットワークＮ２とは互いに独立したネットワークを構成する。
【００３３】
第１のネットワークＮ１及び第２のネットワークＮ２の各種情報は、ネットワークファームウェアシステム回路６に入力され、処理が行われる。この処理では、ネットワークに関するシステム制御を行う。ネットワークの各機器の接続状態等は、ネットワークファームウェアシステム回路６で判別される。
【００３４】
第１のインターフェース回路１ａ及び第２のインターフェース回路１ｂからの各々の映像データは、データ出力切換回路３に入力される。データ出力切換回路３は、システムコントロール回路５からの制御信号によってどちらかの映像データを切り換えて出力する。すなわち、図３（Ａ）に示すように、第１のインターフェース回路１ａからの映像データの場合は、実線に示すように切り換わり、第１のインターフェース回路１ｂからの映像データの場合は、点線に示すように切り換わる。
【００３５】
出力されたデータは、デコード回路４に入力され、ＭＰＥＧ、ＤＶ等伝送されてきた信号に応じて、適切なデコード処理が行われる。デコードされた信号は、映像処理回路７に入力され、ディスプレイ８に応じた信号処理が施され、映像表示端子Ｔ３を介してディスプレイ８に表示される。
【００３６】
また、ネットワークファームウェアシステム回路６によって生成された、ネットワークの機器の接続状態や遠隔操作メニュー等を示す映像データに関しても、映像処理回路７に入力され、ディスプレイ８に表示可能となる。この場合、映像処理回路７での２画面機能、マルチ画面機能等を用いて、各ネットワークそれぞれの情報を同時表示してもよい。また、映像処理回路７に２画面機能等がない場合や２画面機能等はあるが片側のネットワークの状態のみを表示する場合には、各々のネットワーク状態を切り換えて表示してもよい。
【００３７】
一方、インターフェース接続切換回路２が「接続」モードに設定されている場合、第１のインターフェース回路１ａと第２のインターフェース回路１ｂは、物理層レベルで接続される。この場合、第１の端子Ｔ１側の第１のネットワークＮ１と第２の端子Ｔ２側の第２のネットワークＮ２とにより１つの共通のネットワークを構成する。
【００３８】
第１のインターフェース回路１ａからの映像データは、そのままデータ出力切換回路３に入力されるが、第２のインターフェース回路１ｂからの映像データは、インターフェース接続切換回路２、第１のインターフェース回路１ａを経由してデータ出力切換回路３に入力される。データ出力切換回路３は、システムコントロール回路５からの制御信号によって、第１のインターフェース回路１ａからの映像データだけを出力するように切り換える。すなわち、図３（Ｂ）に示すように、第２のインターフェース回路１ｂからの映像データが直接データ出力切換回路３に入力されることはない。
【００３９】
出力されたデータは、デコード回路４に入力され、ＭＰＥＧ、ＤＶ等伝送されてきた信号に応じて、適切なデコード処理が行われる。デコードされた信号は、映像処理回路７に入力され、ディスプレイ８に応じた信号処理が施され、映像表示端子Ｔ３を介してディスプレイ８に表示される。
【００４０】
本発明の実施の形態に係る映像表示装置によれば、インターフェース接続切換回路２において第１のインターフェース回路１ａ及び第２のインターフェース回路１ｂ間を非接続モードに切り換えた場合、第１の端子Ｔ１側に接続された機器の間で構成された第１のネットワークＮ１と、第２の端子Ｔ２側に接続された機器の間で構成された第２のネットワークＮ２とを互いに独立したネットワークとして構成できる。すなわち、ディスプレイ８を中核とした２つのネットワークを構築でき、そのネットワークが互いに影響することなく各々からの映像表示、ネットワーク状況の表示等を行うことができる。
【００４１】
従って、第１の端子Ｔ１側の機器でホットプラグ等によるバスリセットが発生しても、第２の端子Ｔ２側の機器には影響を及ぼすことがない。例えば、機器１２からのビデオ信号を機器９において録画している最中に、機器１３と機器１４を接続しているケーブルを抜き差ししても、ビデオ信号の録画には何ら影響を与えることはない。また、ディスプレイ８において、第１の端子Ｔ１側から伝送される映像データ、第２の端子Ｔ２側から伝送される映像データを切り換えて表示したり、同時に表示することができる。さらに、各々のネットワークの状態を切り換えて表示したり、同時に表示することができる。
【００４２】
また、第１の端子Ｔ１側と第２の端子Ｔ２側で別々に構築されていた第１のネットワークＮ１及び第２のネットワークＮ２は、ユーザーにより任意に接続可能であり、インターフェース接続切換回路２において第１のインターフェース回路１ａ及び第２のインターフェース回路１ｂ間を接続モードに切り換えた場合、第１のネットワークＮ１及び第２のネットワークＮ２は、一つの共通のネットワークとして構築される。この場合、物理層レベルで接続されるので、従来と同じＩＥＥＥ１３９４ネットワークを構築することができる。
【００４３】
以上のように、ユーザーはＩＥＥＥ１３９４機器等の使用状況に合わせて、所望のネットワークを構築できる。例えば、家庭において、ディスプレイ８を中心とした各人の個別ネットワークを構築することが可能である。また、必要に応じて、各々のネットワークを接続し、データのやりとりも可能となる。
【００４４】
図４は、本発明の実施の形態に係る映像表示装置がディスプレイ８に接続されたチューナー装置に搭載されている場合を説明するための説明図である。
【００４５】
この映像表示装置は、その構成及び動作は上記の通りであるが、図４に示すように、プラズマディスプレイ、液晶ディスプレイにおけるチューナー等の機能を別ユニットとしたチューナー装置１６に搭載されている。チューナー装置１６には、第１の端子Ｔ１及び第２の端子Ｔ２を備えている。
【００４６】
チューナー装置１６内の映像表示装置から出力された信号は、ディスプレイ８に伝送され、表示される。
【００４７】
図５は、本発明の他の実施の形態の構成を示すブロック図である。図５に示すように、本発明の他の実施の形態は、上記説明された映像表示処理をコンピュータに実行させるためのプログラム（映像表示処理プログラム）を記録した記録媒体１８を有する。この記録媒体１８は、磁気ディスク、ＣＤ−ＲＯＭ、半導体メモリその他の記録媒体であってもよい。
【００４８】
映像表示処理プログラムは、記録媒体１８から映像表示装置のコンピュータに読み込まれ、上記に説明された映像表示装置の動作を制御する。
【００４９】
本発明は、上記実施の形態に限定されることはなく、特許請求の範囲に記載された技術的事項の範囲内において、種々の変更が可能である。
【００５０】
上記説明された実施の形態では、ネットワークは最大２つであるが、端子数及びインターフェース回路を増やし、３以上のネットワークを構築してもよい。例えば、５つの端子ａ，ｂ，ｃ，ｄ，ｅと各端子ａ，ｂ，ｃ，ｄ，ｅにそれぞれ接続された５つのインターフェース回路Ａ，Ｂ，Ｃ，Ｄ，Ｅを設け、インターフェース回路Ａ，Ｂ及びインターフェース回路Ｃ，Ｄを接続することにより、３つのネットワークを構築することができる。
【００５１】
また、接続するインターフェース回路の数が３以上あってもよい。上記の例では、例えばインターフェース回路Ａ，Ｂ，Ｃを接続してもよい。
【００５２】
さらに、ネットワーク状況は、２画面やマルチ画面機能を用いることによって、ディスプレイ８に同時表示するようにしてもよい。
【００５３】
また、上記説明された実施の形態では、インターフェース接続切換回路２、データ出力切換回路３をそれぞれ別の回路ブロックとして述べてきたが、同等の機能を有するスイッチ回路部として、１つのＬＳＩ等で構成してもよい。
【００５４】
なお、ＩＥＥＥ１３９４以外のデジタルバスについても本発明を適用することは可能である。
【００５５】
【発明の効果】
本発明によれば、インターフェース接続切換回路において複数のインターフェース回路間を非接続モードに切り換えた場合、複数の端子側にそれぞれ接続された機器の間で、複数の互いに独立したネットワークを構築することができる。従って、一方の端子側の機器でホットプラグ等によるバスリセットが発生しても、他方の端子側の機器には影響を及ぼすことがない。
【００５６】
また、構築されたネットワークが互いに影響することなく各々からの映像表示、ネットワーク状況の表示等を行うことができる。
【００５７】
さらに、インターフェース接続切換回路において複数のインターフェース回路間を接続モードに切り換えた場合、複数の端子側にそれぞれ接続された機器の間で一つの共通のネットワークを構築することができる。
【００５８】
従って、ユーザーは機器等の使用状況に合わせて、所望のネットワークを構築できる。例えば、家庭において、ディスプレイを中心とした各人の個別ネットワークを構築することが可能である。また、必要に応じて、各々のネットワークを接続し、データのやりとりも可能となる。
【図面の簡単な説明】
【図１】本発明の実施の形態に係る映像表示装置の構成を示すブロック図である。
【図２】本発明の実施の形態に係る映像表示装置がディスプレイに搭載されている場合を説明するための説明図である。
【図３】（Ａ）及び（Ｂ）は、本発明の実施の形態に係る映像表示装置の動作を説明するための説明図である。
【図４】本発明の実施の形態に係る映像表示装置がディスプレイに接続されたチューナー装置に搭載されている場合を説明するための説明図である。
【図５】本発明の他の実施の形態の構成を示すブロック図である。
【符号の説明】
Ｔ１：第１の端子
Ｔ２：第２の端子
Ｔ３：映像表示端子
Ｎ１：第１のネットワーク
Ｎ２：第２のネットワーク
１ａ：第１のインターフェース回路
１ｂ：第２のインターフェース回路
２：インターフェース接続切換回路
３：データ出力切換回路
４：デコード回路
５：システムコントロール回路
６：ネットワークファームウェアシステム回路
７：映像処理回路
８：ディスプレイ
９〜１５：機器
１６：チューナー装置
１７：デジタルバス
１８：記録媒体
【図１】
0003551137.tif 000002
【図２】
0003551137.tif 000003
【図３】
0003551137.tif 000004
【図４】
0003551137.tif 000005
【図５】
0003551137.tif 000006